(57)【要約】【課題】  ビデオカメラを小型軽量化したときの問題点としては、撮影時の手ぶれが挙げられる。ビデオカメラが小型軽量化すると、一般に保持性が劣ったり、簡単にカメラ部分が振れたりするため、撮影した画像にも振れが生じることがある。このため、ビデオカメラの保持性を高める必要がある。【解決手段】  ビデオカメラを保持する側面近傍の上面部高さＬ１と、他側面の側面近傍高さＬ２の関係を、Ｌ１−Ｌ２≧１０ｍｍとする。  またＬ１を形成する上面部を曲面形状とする。また、曲面形状の半径Ｒを、Ｒ≧４０ｍｍとする。【選択図】  図１
2005175858.tif 000002
【特許請求の範囲】
【請求項１】
ビデオカメラ本体の側面を保持して使用するビデオカメラで、
ビデオカメラを保持する側面の側の上面部高さＬ１と、他の側面の側の上面高さＬ２が、
Ｌ１−Ｌ２≧１０ｍｍ
となることを特徴としたビデオカメラ。
【請求項２】
請求項１記載のビデオカメラにおいて、
前記Ｌ１を形成する上面部が曲面形状をなしたことを特徴としたビデオカメラ。
【請求項３】
請求項２記載のビデオカメラにおいて、
前記上面部の曲面形状の半径Ｒが、
Ｒ≧４０ｍｍ
であることを特徴としたビデオカメラ
【請求項４】
請求項１記載のビデオカメラにおいて、
記録媒体にディスクを用いたことを特徴としたビデオカメラ。
【請求項５】
請求項４記載のビデオカメラにおいて、
前記ディスクの直径がほぼ８０ｍｍであることを特徴としたビデオカメラ。
【請求項６】
請求項１、４記載のビデオカメラにおいて、
前記ビデオカメラ内の前記ディスクを収納する位置が、前記上面部高さＬ１を形成する面の下部にあることを特徴としたビデオカメラ。
【請求項７】
請求項１、４記載のビデオカメラにおいて、
前記上面部高さＬ１が、
Ｌ１＞８０ｍｍ
であることを特徴としたビデオカメラ。
【発明の詳細な説明】
【技術分野】
【０００１】
本発明はポータブルタイプのビデオカメラに関するものである。
【背景技術】
【０００２】
ビデオカメラの側面を保持して使用するポータブルタイプのビデオカメラとして、例えば特許文献１が挙げられる。特許文献１では、ビデオカメラ右側面を保持して使用するため、右側面にハンドストラップを設け、これに手を入れて保持するようになっている。また、より保持性を高めるために右側面近傍の上面部を突出させ、指先を突出角部に引掛けられる構造になっている。
【０００３】
【特許文献１】特開２００１−１１１８７７号公報
【発明の開示】
【発明が解決しようとする課題】
【０００４】
ポータブルタイプのビデオカメラは、持ち運ぶ機会が多いため、小型軽量化の要求が高い装置である。ここでビデオカメラを小型軽量化したときの問題点として、撮影時の手ぶれが挙げられる。ビデオカメラが小型軽量化すると、一般に保持性が劣ったり、簡単にカメラ部分が振れたりするため、撮影した画像にも振れが生じることがある。このため、ビデオカメラの保持性を高める必要がある。
【０００５】
特許文献１では、ハンドストラップを使用するほかに、ビデオカメラ保持部近傍の上面を突出させ指先が突起角部に引掛けられる構造にして保持性を高めている。しかし、この場合、指先を引掛けているだけであるため、保持性を高めることに限界があった。
【課題を解決するための手段】
【０００６】
ビデオカメラを保持する側面の側の上面部高さＬ１と、他の側面の側の上面高さＬ２の関係を、Ｌ１−Ｌ２≧１０ｍｍとする。
【０００７】
またＬ１を形成する上面部を曲面形状とする。また、曲面形状の半径Ｒを、Ｒ≧４０ｍｍとする。
【０００８】
また、ビデオカメラの記録媒体にディスクを用いる。また、直径がほぼ８０ｍｍのディスクを使用する。
【０００９】
また、ビデオカメラ内でディスクを収納する位置を、上面部高さＬ１を形成する面の下部に置く。また、上面部高さＬ１を、Ｌ１＞８０ｍｍとする。
【発明の効果】
【００１０】
本発明により、ビデオカメラの保持性を高めることが出来る。
【発明を実施するための最良の形態】
【００１１】
本発明の実施例を図１から図４を用いて説明する。図１は本発明の実施例を示した図でビデオカメラを左前方より見た斜視図である。ビデオカメラ１は、カメラ本体側から見て左側にレンズ３、液晶モニタ５、ファインダ４などが配置され、右側には記録再生用ドライブなどを内蔵する右ケース２が配置されている。このビデオカメラ１は、カメラ右側をユーザが手に持って使用するため、右側面にハンドストラップ７があり、ハンドストラップ７と右ケース２の間に手を入れて保持する構造になっている。
【００１２】
図２は本発明の実施例であるビデオカメラ１で、図２（ａ）は右側面図、図２（ｂ）は前面図を示した図である。ビデオカメラ１は、図２（ｂ）に示したように右側面の側の上面と左側面の側の上面で高さが異なるように構成されている。本実施例のビデオカメラ１では右上面１０は右ケース２によってなり、左上面６はレンズ３からなっている。そして右上面１０の高さをＬ１、左上面６の高さをＬ２とすると、Ｌ１−Ｌ２≧１０ｍｍを満たすように構成されている。このように右上面１０と左上面６の高さを変えることで右ケース保持面１１を設けることが出来ている。また、右ケース２の上面部は、半径Ｒの曲面を設けた構造になっている。
【００１３】
図３により、本実施例のビデオカメラ１の保持性について説明する。図３は本実施例のビデオカメラ１をユーザが手８で保持した状態を示した図で、図３（ａ）は右側面図、図３（ｂ）は前面図を示した図である。図３（ｂ）に示すようにビデオカメラ１の右上面１０の角に指の第１関節が来るようにビデオカメラ１を保持することで、指の腹付近を右ケース保持面１１に押し当てることが出来ている。ビデオカメラ１の右側面と右ケース保持面１１は対向しているため、右ケース保持面１１を指の腹で押さえると、手のひらと指の腹でビデオカメラを挟み込むように保持することが可能になり、保持性は格段に向上する。指でビデオカメラを押さえる場合、最低でも指の第一関節より先の部分が出来るだけ当たるようにする必要があり、少なくとも１０ｍｍ程度の幅の保持面が必要になる。また、指を伸ばしてビデオカメラの左側面を押さえることも考えられるが、ビデオカメラの幅は一般に４０〜５０ｍｍ以上あるため、指を伸ばして左側面を押さえると右側面から手のひらが離れることになる。よって本発明のようにビデオカメラを挟み込むように保持するためには、右上面１０と左上面６の高さを１０ｍｍ以上変えて保持面を設けることが最も有効な手段である。ところで指の長さは、中指が最も長く、それ以外は順番に短くなっていくため、右上面１０を曲面にすると、それぞれの指の長さと保持面の位置をより適切な関係にすることが可能になる。
【００１４】
本ビデオカメラは、右ケースが曲面になっているため、記録媒体にディスクを用いたときが最も部品配置上効率がよくなる。図４は、本実施例のビデオカメラ１にディスク９を用いたときの配置を示した図である。ディスク９は直径８０ｍｍ、厚さ１．２ｍｍのディスクを想定して配置してある。ここではディスク９の位置をわかりやすくするため、図の中でディスク９の配置位置を黒く塗りつぶして示してある。右上面１０の下部は本ビデオカメラで最も高さが高い部分であり、この部分にディスク９を配置することでビデオカメラ内のスペースを有効に使用することが出来る。また、直径８０ｍｍのディスクを使用する場合、右上面１０の高さＬ１＞８０ｍｍ、右上面１０の曲面の半径Ｒ≧４０ｍｍとすることで各寸法を満たすことが出来る。
【図面の簡単な説明】
【００１５】
【図１】本発明の実施例を示す図で、ビデオカメラの概観図である。
【図２】本発明の実施例を示す図で、ビデオカメラの前面図と右側面図である。
【図３】本発明の実施例を示す図で、ビデオカメラを保持した状態を示した図である。
【図４】本発明の実施例を示す図で、ビデオカメラの記録媒体にディスクを使用したときのディスク収納位置を示した図である。
【符号の説明】
【００１６】
１…ビデオカメラ、
２…右ケース、
３…レンズ、
４…ファインダ、
５…液晶モニタ、
６…左上面、
７…ハンドストラップ、
８…手、
９…ディスク、
１０…右上面、
１１…右ケース保持面。
【図１】
2005175858.tif 000003
【図２】
2005175858.tif 000004
【図３】
2005175858.tif 000005
【図４】
2005175858.tif 000006